(57)【要約】      （修正有）【課題】画像記録部本体の左右側面のデッドスペースを有効活用し、設置スペースの大型化を防止することができる画像形成装置を提供することを目的とする。【解決手段】画像形成装置の前後方向に記録シートを搬送しながら、記録シートにトナー像を形成する画像形成部111と、前記画像形成部111の上部に設けられ装置外へ記録シートを排出するフェイスダウン排出部115と、を具備する画像記録部本体100と、画像記録部本体100の上方に配置され、原稿台ガラス面上の原稿を装置本体の幅方向に走査し、原稿面上の画像を密着型イメージセンサ101ｂに結像させることで、原稿面を読み取るフラットベットスキャナ101と、を有する画像形成装置において、画像記録部本体100の装置幅方向における右または左端側で、かつフラットベットスキャナ101の下方に、電装部120を設けたことを特徴とする。【選択図】図１
2005115084.tif 000002
【特許請求の範囲】
【請求項１】
装置の前後方向に記録シートを搬送しながら、記録シートにトナー像を形成する画像形成部と、記録シートに形成されたトナー像を定着させる定着手段と、装置下部または装置前面に設けられ、前記画像形成部に記録シートを供給する記録シート給送部と、
前記画像形成部及び前記定着手段の上部に設けられ、前記定着手段から装置外へ記録シートを排出する排出部と、を具備する画像記録部本体と、
該画像記録部本体の上方に配置され、原稿台面上に載置された原稿を装置幅方向に走査し、原稿面上の画像を読取手段に結像させることで、原稿面を読み取る原稿読取装置と、
該原稿読取装置または前記画像記録部本体を制御する電気基板部と、を有する画像形成装置において、
前記画像記録部本体の装置幅方向における右または左端側で、かつ前記原稿読取装置の下方に、前記電気基板部を設けたことを特徴とする画像形成装置。
【請求項２】
前記原稿読取装置の装置幅方向の一端に、原稿を前記原稿台面上に搬送しながら原稿を読み取る原稿搬送部を有し、
前記原稿読取装置の前記原稿台面上に原稿を装置前方から載置可能に構成し、
前記原稿搬送部への原稿の載置を装置前方から載置可能に構成し、
前記画像記録部本体は、装置前面に装置を操作する操作部を有し、
前記記録シート給送部は装置前方から給送するように構成され、
装置下部に設けられた記録シート給送部には、記録シートを収納し装置前方に引き出し可能に構成された記録シートカセットが設けられ、
装置前面に設けられた記録シート給送部は、装置前方から記録シートを挿入可能に構成された手差し給送部であり、
前記排出部は、装置奥側に排出口を設け、装置前方に記録シートを排出し、装置前方から記録シートを取り出し可能に構成し、
前記画像形成部には、トナー、感光ドラムを内包し、装置前方から着脱可能に構成されたカートリッジが設けられたことを特徴とする請求項１に記載の画像形成装置。
【請求項３】
前記原稿搬送部と幅方向で同一側の側面に前記電気基板部を設けたことを特徴とする請求項２に記載の画像形成装置。
【請求項４】
前記原稿読取装置内には、原稿面を走査して原稿を読み取りする読取手段、該読取手段を移動するための駆動手段、前記読取手段の位置を検知する位置検知手段からなる原稿読取装置制御部品が設けられ、
該原稿読取装置制御部品を前記電気基板部の上方でかつ、前記画像記録部本体の上方を避けた位置に設けたことを特徴とする請求項１乃至請求項３のいずれか１項に記載の画像形成装置。
【請求項５】
前記原稿読取装置で原稿を走査して読み取る際の読取手段の待機位置または、原稿搬送部で原稿を読み取る際の原稿読取位置の少なくとも一方の位置が、前記電気基板部の上方でかつ、前記画像記録部本体の上方を避けた位置であることを特徴とする請求項１乃至請求項４のいずれか１項に記載の画像形成装置。
【請求項６】
前記定着手段は装置奥側に設けられ、
前記電気基板部は、電源ユニット及びその他の電気基板で構成され、
前記電源ユニットを装置奥側に設け、前記その他の電気基板のうち少なくとも１つを電源ユニットより装置前方に配置したことを特徴とする請求項１乃至請求項５のいずれか１項に記載の画像形成装置。
【請求項７】
前記電源ユニットより装置前方に設けられた前記その他の電気基板には外部と接続するためのケーブル挿入口が設けられていることを特徴とする請求項６に記載の画像形成装置。
【請求項８】
装置側面に設けられた前記電気基板部は少なくとも一側面を板金などのシールド部材で覆われており、該シールド部材が前記原稿読取装置の下の支えを兼ねていることを特徴とする請求項１乃至請求項７のいずれか１項に記載の画像形成装置。 
【発明の詳細な説明】
【技術分野】
【０００１】
本発明は画像読取部と画像記録部本体を設けた複写機、ファクシミリ等の画像形成装置に関するものである。
【背景技術】
【０００２】
従来の画像形成装置として、画像読取部と画像記録部本体を設けた複写機、ファクシミリ等の多機能複合機（ＭＦＰ）を例にとり説明する。従来のＭＦＰの構成を以下に示す。画像形成装置の下方（画像記録部本体）には、カセット内に載置された記録シートを給送する給送部、レーザプリンタにより画像を形成する画像形成部、画像を記録シート上に定着する定着器、記録シートを装置外に排出、積載する排出部が設けられている。
【０００３】
装置の上方（画像読取部）には、原稿台面上に載置された原稿の画像を読取手段を走査して読み取る原稿読取装置であるところのフラットベットスキャナが設けられている。フラットベットスキャナの端部には、トレイ上にセットされた複数の原稿を分離、搬送しながら原稿面上を読み取る原稿搬送部が設けられている。
【０００４】
近年、プリンタ単機能の商品は記録シートの給送、搬送方向が装置の前後方向のレイアウトが主流である。また、ＭＦＰにおいても、画像記録部本体においては、記録シートの給送、搬送方向が装置の前後方向となっており、フラットベットスキャナにおいては、従来の複写機と同様に原稿の走査方向が装置の装置幅方向（左右方向）となっているレイアウトが近年提案されている（例えば、特許文献１参照）。すなわち、記録シートの給送、搬送方向と原稿の走査方向が直交するよう構成されている。
【０００５】
【特許文献１】特開平５−１２７４４３号公報
【発明の開示】
【発明が解決しようとする課題】
【０００６】
しかしながら、従来の画像形成装置（特許文献１）の構成において、記録シートの給送、搬送方向が装置前後方向の画像記録部本体では、記録シートの長手方向が装置前後方向になるように記録シートが給送カセットにセットされる。このため、画像記録部本体の設置サイズは装置前後方向が長く、装置幅方向（左右方向）が短くなる。
【０００７】
一方、フラットベットスキャナでは、原稿の走査方向が装置の装置幅方向（左右方向）であるため、原稿台面上の原稿の長手方向が装置の装置幅方向（左右方向）になるように原稿をセットする。このため、フラットベットスキャナの設置サイズは、装置幅方向（左右方向）に長く、装置前後方向に短くなる。
【０００８】
従って、装置幅方向（左右方向）では、画像記録部本体に対してフラットベットスキャナの方が幅が広くなり、画像記録部本体の左右側面がデッドスペースとなり、スペース効率が悪く、設置スペースが大型化するという問題があった。また、フラットベットスキャナの画像記録部本体から出っ張った部分を支えるための支柱等の別部品が左右方向端部に必要であり、コストアップを招くという問題があった。
【０００９】
また、従来のこの種の画像形成装置では装置を制御する電気基板部が装置の手前側面に設けられていた。これにより、画像記録部本体の前後方向が拡大するため、設置スペースの大型化という問題があった。
【００１０】
また、従来の画像形成装置では排出部の下部に基板が配置されており、定着器の熱を装置外に排熱するためのルーバを排出部の下部に設けることができず、熱が装置内にこもりやすかった。また、定着器、排出された記録シートと基板が近接しており、基板が昇温しやすかった。このため、装置内の昇温が問題となり、ファン風量アップなどの対策によるコストアップ、騒音の増大という問題があった。
【００１１】
また、電気基板がファクシミリの通信機能やプリンタ機能をもつ場合は、装置の外部から、通信回線のケーブルや、コンピュータ、ネットワークへの接続ケーブルが基板に接続される。そして、このような基板に接続されたケーブルが装置背面側に張り出すことになり、装置背面にケーブルのためのスペースを設ける必要があり、設置スペースの拡大という問題があった。
【００１２】
また、電気基板の上部に排出トレイが配置されていたため、フラットベットスキャナや操作部を制御するための信号ケーブルは、排出トレイの幅方向外側を迂回して、その上部のフラットベットスキャナと接続していた。このように、信号ケーブルが長くなることで、放射ノイズ、静電ノイズが増大する。また、このノイズ対策のためのノイズ対策部品によるコストアップを招くという問題があった。
【００１３】
そこで、本発明は、画像記録部本体の左右側面がデッドスペースを有効活用し、スペース効率がよく、設置スペースの大型化を防止することができ、フラットベットスキャナの画像記録部本体から出っ張った部分を支えるの別部品を必要としない画像形成装置を提供することを目的とする。
【００１４】
さらに、基板の昇温を防止することができ、装置背面にケーブルのためのスペースを設ける必要がなく、信号ケーブルが長くなることによる放射ノイズ、静電ノイズを防止することができる画像形成装置を提供することを目的とする。
【課題を解決するための手段】
【００１５】
上記課題を解決するために本発明に係る画像形成装置の代表的な構成は、装置の前後方向に記録シートを搬送しながら、記録シートにトナー像を形成する画像形成部と、記録シートに形成されたトナー像を定着させる定着手段と、装置下部または装置前面に設けられ、前記画像形成部に記録シートを供給する記録シート給送部と、前記画像形成部及び前記定着手段の上部に設けられ、前記定着手段から装置外へ記録シートを排出する排出部と、を具備する画像記録部本体と、該画像記録部本体の上方に配置され、原稿台面上に載置された原稿を装置幅方向に走査し、原稿面上の画像を読取手段に結像させることで、原稿面を読み取る原稿読取装置と、該原稿読取装置または前記画像記録部本体を制御する電気基板部と、を有する画像形成装置において、前記画像記録部本体の装置幅方向における右または左端側で、かつ前記原稿読取装置の下方に、前記電気基板部を設けたことを特徴とする。
【発明の効果】
【００１６】
以上の構成によって、原稿読取装置の原稿台面上の原稿を走査する方向が装置左右方向であり、画像記録部本体の記録シートの給送・搬送方向が原稿走査方向と直交する装置前後方向とした画像形成装置において、画像記録部本体の側面でかつ原稿読取装置の下の空間に電装基板を配置することでデッドスペースを有効活用でき省スペース化を図ることができる。また、電装基板をシールドするシールドボックスを剛体とすることで、原稿読取装置を支持する構造体を兼ねることが可能となり、装置の小型化と低コスト化を図ることができる。
【００１７】
また、前記原稿読取装置の装置幅方向の一端に、原稿を前記原稿台面上に搬送しながら原稿を読み取る原稿搬送部を設け、原稿読取装置の前記原稿台面上に原稿を装置前方から載置可能に構成し、前記原稿搬送部への原稿の載置を装置前方から載置可能に構成し、前記画像記録部本体は、装置前面に装置を操作する操作部を有し、前記記録シート給送部は装置前方から給送するように構成され、装置下部に設けられた記録シート給送部には、記録シートを収納し装置前方に引き出し可能に構成された記録シートカセットが設けられ、装置前面に設けられた記録シート給送部は、装置前方から記録シートを挿入可能に構成された手差し給送部であり、前記排出部は、装置奥側に排出口を設け、装置前方に記録シートを排出し、装置前方から記録シートを取り出し可能に構成し、前記画像形成部には、トナー、感光ドラムを内包し、装置前方から着脱可能に構成されたカートリッジを設けた。
【００１８】
これにより、装置への原稿の挿入、取り出し、記録シートの取り出し、記録シートカセットの引き出し、マルチ給送部への記録シートのセット及び操作部の操作をすべて装置前面方向から行うことができ、良好な操作性を実現できる。
【００１９】
また、画像記録部本体の背面を塞がない位置に電装基板を配置しており、昇温対策のためにファンを大型化するなどのコストアップを防止することができる。
【００２０】
また、画像記録部本体の上部に密着型イメージセンサなどの電気部品を配置しないことや、定着器、定着後の記録シート、電装部の電源ユニットから他の電気基板を離すことで熱対策になり、ファン風量アップなどの対策によるコストアップ、騒音の増大を防止することができ、装置の小型化を図ることができる。
【００２１】
また、電装基板に接続される外部ケーブルのコネクタを装置背面より手前の位置で接続可能になり、コネクタが装置背面に張り出すことなく、省スペース化を図ることができる。
【００２２】
また、原稿搬送部、原稿読取装置、操作部の電気部品の近傍まで電装基板を配置することが可能であり、接続のためのケーブルを最短とすることで、放射ノイズや静電ノイズを低減でき、ノイズ対策部品などのコストアップを防止することができる。
【００２３】
また、画像記録部本体の側面から原稿読取装置の下まで一面に基板を配置することが可能となり基板サイズを最適にすることができ、コストダウンを図ることができる。
【００２４】
また、装置の側面に基板が集中して、外装カバーを外すだけで基板を露出することが可能であり、使用者やサービスマンが基板をメンテするための手間を低減することができる。
【発明を実施するための最良の形態】
【００２５】
［第一実施形態］
本発明に係る画像形成装置の第一実施形態について、図を用いて説明する。まず、図１〜図４に本発明にかかる画像形成装置の一例としてファクシミリ機能、プリンタ機能、ブック、シート原稿を読取り複写を行う複写機能を合わせ持った多機能複合機（以下、ＭＦＰと呼ぶ）を取り上げる。ここで、図１は本実施形態にかかる画像形成装置を左斜め前から見た斜視図であり、電気基板の配置の詳細を示している。図２は画像形成装置を左側からみた装置断面図であり、図３は画像形成装置を正面からみた装置断面図である。図４は後述する原稿押さえとなる圧板を開いた状態の装置上視図である。
【００２６】
（画像形成装置の全体概略説明）
図１〜図４を参照してＭＦＰ全体の概略を説明する。図１〜図４に示すように、画像形成装置は、画像記録部本体100、フラットベットスキャナ101（原稿読取装置）、原稿搬送部103、電装部120（電気基板部）から構成されている。
【００２７】
画像記録部本体100は、レーザービームプリンタからなる記録装置部104、カセット給送部112（記録シート給送部）、マルチ給送部113（記録シート給送部）、フェイスダウン排出部115（排出部）、フェイスダウン排出トレイ116、フェイスアップ排出部117（排出部）を有している。記録装置部104は、画像形成部111、定着器114、操作部105を有している。
【００２８】
フラットベットスキャナ101は、原稿台ガラス101ａ面（原稿台面）上に置かれた原稿Ｂを装置の装置幅方向（左右方向；矢印Ｃ方向）に走査して読み取る。圧板102は上下に開閉可能であり、原稿台ガラス101ａ上に置かれた原稿Ｂを押さえることができる。読取手段の一例である読取センサには、密着型イメージセンサ101ｂを用いている。
【００２９】
原稿搬送部103は、原稿載置トレイ103ａの上に載置された原稿Ｓを一枚ずつ分離しつつ搬送し（図３中、矢印Ｆ方向）、シート読取部103ｃ（原稿読取位置）に搬送させながら原稿を読み取る。読み取った後の原稿は、原稿排出トレイ103ｂに排出、積載される。
【００３０】
画像形成部111は、トナーカートリッジ111ａを有し、トナーカートリッジ111ａの内部に感光ドラム111ｃ、帯電部111ｅ、現像部111ｄ、クリーニング部111ｆ及びトナーを一体の容器として収納している。ここで、感光ドラム111ｃと転写ローラ111ｂとの間で記録シートＰを搬送しつつ、トナーを記録シートＰ上に転写する。
【００３１】
カセット給送部112は、記録シート給送部の一例であり、記録シートＰが収納されている。給送ローラ112ａは、カセット給送部112から記録シートＰを一枚分離して画像形成部111に搬送する。マルチ給送部113は、記録シート給送部の一例であり、給送ローラ112ａ及び分離片とで構成されるマルチ分離部113ａでマルチトレイ131ｂ上に積載された記録シートＰを一枚分離して画像形成部111に搬送する。
【００３２】
定着器114は、定着手段の一例であって、画像形成部111で記録シートＰ上に転写したトナーを加熱して定着させる。
【００３３】
フェイスダウン排出部115（ＦＤ排出部と呼ぶ）は、記録シートＰを画像面を下にして排出する。フェイスダウン排出トレイ116（ＦＤ排出トレイ）は記録後、排出された記録シートＰを画像面を下にして積載する。フェイスアップ排出部117（以下ＦＵ排出部と呼ぶ）は記録後の画像の面を上面にして排出するである。
【００３４】
以上の構成により、画像記録部本体100は記録シートＰを装置の前後方向（矢印Ｅ方向）に搬送させることで、記録シートＰの給送、画像形成、排出を行う。ここで、図４に示すように、前述した原稿の読取りの走査が画像記録部本体100の幅方向（矢印Ｃ方向）に対して記録シートの搬送方向は画像記録部本体100の前後方向（矢印Ｅ方向）となり、原稿の走査方向（矢印Ｃ方向）と記録シートの搬送方向（矢印Ｅ方向）が直交する構成となっている。
【００３５】
操作部105は、表示部・入力キー等により構成されている。また、操作部105は装置前面に設けられ、使用者が装置前面から操作可能に構成され良好な操作性を実現している。操作部105の電気基板105ａは、キースイッチやＬＣＤ表示部が設けられている。
【００３６】
電装部120は、電気基板部の一例であり、電源ユニット120ａ、電気基板（画像処理・通信基板120ｃ、120ｂ、プリンタボード120ｂ）から構成され、画像記録部本体100の側面に設けられている。画像処理・通信基板120ｃは、画像の原稿搬送部103、フラットベットスキャナ101の制御や画像処理、後述する記録制御基板へ画像を転送する通信を行うための基板である。プリンタボード120ｂはプリンタ機能を拡張するための基板である。
【００３７】
図３に示すように、電装部120は、原稿搬送部103と同一側面でかつ記録装置部104の側面に設けられ、フラットベットスキャナ101の下面に配置されている。
【００３８】
次に画像形成装置の詳細及び動作について説明する。
【００３９】
（フラットベットスキャナ）
フラットベットスキャナ101には、原稿を載置する原稿台ガラス101ａ、密着型イメージセンサ101ｂ、原稿突き当て部101ｃ、白地部101ｄ、読取走査モータ101ｅが設けられている。原稿突き当て部101ｃは、使用者が原稿台ガラス101ａに原稿をセットする際の突き当て基準となる。白地部101ｄは、原稿突き当て部101ｃの下部に設けられ、原稿を読み取る際の白基準となる。密着型イメージセンサ101ｂは、白地部101ｄの下の待機位置Ｄで待機して、原稿を読み取る前に白地部101ｄを読み取ることで電気的な補正を行っている。読取走査モータ101ｅは、密着型イメージセンサ101ｂを原稿の走査方向（矢印Ｃ方向）に駆動する。
【００４０】
圧板102は、回転中心部（以下ヒンジと呼ぶ）が装置奥側に設けられ、装置上方に所定の角度だけ圧板102が開くよう揺動可能に構成されており、使用者が圧板102を開き、原稿台ガラス101ａ面上に原稿を載置する構成になっている。
【００４１】
次に、原稿台ガラス101ａ面上に載置された原稿Ｂを読み取る際の動作について説明する。ここで、密着型イメージセンサ101ｂは待機位置Ｄで待機する。原稿Ｂを読み取る際には、まず、白地部101ｄを読み取って電気的な白基準の補正を行う。次に原稿Ｂを読み取るために密着型イメージセンサ101ｂが原稿Ｂの直下を装置右方向に走査しながら原稿面上が読み取られる。その後、密着型イメージセンサ101ｂが原稿Ｂの右端部にきたところで、読取を終了して左方向に移動し、再び待機位置で停止して待機状態となり読取動作が終了する。
【００４２】
（原稿搬送部）
原稿搬送部103での読取時の原稿の搬送方向を図３の矢印Ｆ方向で示している。まず、原稿搬送部103は、原稿載置トレイ103ａの上に載置された原稿Ｓを一枚ずつ分離して、シート読取部103ｃに送り込む。ここで、前述のごとく密着型イメージセンサ101ｂは待機位置Ｄで白地部101ｄを読み取って電気的な白基準の補正を行った後、シート読取部103ｃ（原稿読取位置）に移動し、静止する。ここで図示しない搬送ローラにより、原稿台ガラス101ａ上に原稿を搬送させつつ、密着型イメージセンサ101ｂにより原稿面を読み取りを行う。その後、読み取られた原稿は、更に搬送され原稿排出トレイ103ｂ上に排出され、積載される。
【００４３】
尚、本発明では、図３に示すように密着型イメージセンサ101ｂの待機位置を、記録装置部104の上から外れた場所とし、原稿搬送部での読取時の密着型イメージセンサ101ｂの停止位置であるシート読取部103ｃの位置（原稿読取位置）を記録装置部104の上から外れた場所に配置している。これにより、記録装置104の定着器114やＦＤ排出された記録シートから発生する熱が上に上がっても密着型イメージセンサ101ｂが昇温することはない。
【００４４】
また、フラットベットスキャナ101内に設けられた電気部品である、読取走査モータ101ｅ、密着型イメージセンサ101ｂの位置を検知するセンサ（不図示）などの電気部品も記録装置部104の上から外れた場所に配置している。これにより、記録装置104の定着器114やＦＤ排出された記録シートから発生する熱が上に上がっても上記の電気部品が昇温しにくい。
【００４５】
また、103ｄは前述した原稿搬送部103内に設けられ、原稿搬送部103で原稿を搬送するための読取モータでステッピングモータやＤＣモータなどが一般的には使用されている（今回の実施例ではステッピングモータを使用）。また原稿搬送部103には原稿のエッジを検知するためのセンサや給送ソレノイド、送信済みのスタンプを原稿に押下するためのソレノイドなどの電気部品などが設けられている。
【００４６】
（記録装置部）
次に記録装置部について詳細な構成及び動作について説明する。
【００４７】
記録シートＰの搬送方向を図２の矢印Ｇ方向に示す。記録装置部104は装置下部に配置されている。ここで、記録シートの給送口としてまず、カセット給送部112が、記録装置部104の底部に配設されている。給送カセット112ｂに積載されたシート材Ｐは、給送ローラ112ａによって１枚ずつ分離、搬送され、図示しない搬送ローラにより更に搬送され、画像形成部111に送り込まれる。
【００４８】
ここで、給送カセット112ｂは装置手前方向（矢印Ａ方向）に引き出すことで装置手前で記録シートのセットやジャム処理が行える。
【００４９】
また、マルチ給送部131は、装置前面に配置されている。マルチトレイ131ｂ上に積載された記録シートＰは、マルチ分離部131ａにより分離、搬送され、画像形成部111に送り込まれる。マルチトレイ131ｂへの記録シートのセットは装置手前方向（矢印Ａ方向）から行うことが可能に構成されている。
【００５０】
カセット給送部112またはマルチ給送部131から画像形成部111に送り込まれた記録シートＰは、転写ローラ111ｂと感光体ドラム111ｃとの間に搬送される。
【００５１】
記録装置部104は、記録制御基板119から出力される画像信号に基づいてレーザースキャナ110から画像光を射出し、この画像光を画像形成部111の感光体ドラム111ｃに照射して、感光体ドラム111ｃ表面に静電潜像を形成し、この静電潜像を現像手段111ｄによってトナー像に変換し、カセット給送部112から画像形成部111に給送された記録シートＰにトナー像を転写する。
【００５２】
感光体ドラム111ｃは帯電手段と現像手段とクリーニング手段と共にトナーカートリッジ111ａ内に一体に組込まれていて、画像記録部本体100に対して着脱自在に構成されている。ここで、画像形成部111の上部には使用者が開閉可能なカバー118（以下、カートリッジカバーと呼ぶ）が設けられている。トナーカートリッジ111ａを交換する際や画像形成部111で記録シートのジャムが発生した場合は、装置前面からカートリッジカバー118を開くことでトナーカートリッジ111ａの着脱が可能となっている。
【００５３】
画像形成部111の感光体ドラム111ｃ下部には転写ローラ111ｂが配置され、また感光体ドラム111ｃよりも下流側の搬送経路に定着器114が配置されている。
【００５４】
記録シートＰは転写ローラ111ｂで感光体ドラム111ｃ表面に形成されたトナー像を転写された後、記録搬送部に沿って搬送され、定着器114でトナー像が定着される。定着後の記録シートＰは更に搬送され、ＦＤ排出部115により装置外に排出され、ＦＤ排出トレイ116に積載される。
【００５５】
積載位置は記録シートの装置前端が使用者が装置前面から取り出し可能な位置である。
【００５６】
以上により、原稿の挿入、取り出し、記録シートの取り出し、記録シートカセットの引き出し、マルチ給送部への記録シートのセット、トナーカートリッジの取り出し及び操作部の操作といった操作をすべて装置前面方向（矢印Ａ方向）から行うことが可能であり良好な操作性を実現している。
【００５７】
一方、装置背面には記録画像面を上向きにして排出するフェイスアップ排出部（ＦＵ排出部と呼ぶ）117がある。ここでＦＵ排出部117はトレイを兼ねたカバー（ＦＵトレイと呼ぶ）117ａ1を117ａ2の位置に開くことで定着器114の下流の搬送路を切り替えることが可能であり、ＦＵトレイ117ａ2の上に記録シートが排出、積載される。
【００５８】
なお、ここでＦＵトレイ117を117ａ2の位置に開くことで定着器114とＦＤ排出部115の間の搬送路を開放して、この間で記録シートＰがジャムした際にジャムした記録シートＰを容易に取り除くことが可能な構成となっている。
【００５９】
（電気基板のレイアウト説明）
次に本発明の特徴となる電気基板のレイアウトについて説明する。
【００６０】
電装部120には、電源ユニット120ａ、電気基板（プリンタボード120ｂ、画像処理・通信基板120ｃ）が設けられており、電源ユニット120ａ、電気基板の回りをシールドボックス120ｈで囲っている。シールドボックス120ｈは、板金を箱状にしたもので、シールドボックス120ｈで電気基板を囲むことで、電気基板から放射されるノイズの低減及び基板のアースの強化を行っている。
【００６１】
シールドボックス120ｈはフラットベットスキャナ110と画像記録部本体100を接続する剛体であり、フラットベットスキャナ110の支持も兼ねている。電源ユニット120ａは、左側面の奥側に基板を縦にして配置されている。
【００６２】
プリンタボード120ｂは左側面の手前側に基板を縦にして配置されている。プリンタボード120ｂの背面側には外部インターフェース用のコネクタ120ｄ１（以下、セントロコネクタと呼ぶ）が設けられ、使用する場合には外部機器と接続するためのセントロケーブル120ｄ２が接続されている。
【００６３】
また、画像処理・通信基板120ｃは、左側面の手前側に基板を縦にして配置されており、ファクシミリの通信関係の制御を行っている。ここで装置奥側には電話回線と接続するためのモジュラコネクタ120ｅ１が装置外に露出している。使用する場合には電話回線と接続するためのモジュラーケーブル120ｅ２が接続される。
【００６４】
ここでセントロコネクタ120ｄ１及びセントロケーブル120ｄ２や、モジュラコネクタ120ｅ１及びモジュラーケーブル120ｅ２は、プリンタボード120ｂ、画像処理・通信基板120ｃから装置奥側に向けて出っ張っているが、プリンタボード120ｂ、画像処理・通信基板120ｃを装置背面より手前側に配置しているため装置背面に出っ張ることはない。
【００６５】
また、画像処理・通信基板120ｃは、フラットベットスキャナ101及び原稿搬送部103を制御することで読取画像の画像処理もおこなっている。読取ケーブル120ｆは、画像処理・通信基板120ｃと原稿搬送部103及びフラットベットスキャナ101内の電気部品とを接続するケーブルである。
【００６６】
原稿搬送部103内の電気部品は、読取モータ103ｄ、原稿のエッジを検知するためのセンサや給送ソレノイド、送信済みのスタンプを原稿に押下するためのソレノイドである。フラットベットスキャナ101内の電気部品は、密着型イメージセンサ101ｄや読取走査モータ101ｅや密着型イメージセンサ101ｄなどである。そして、これらの原稿搬送部103及びフラットベットスキャナ101内の電気部品は、電装部120の上部にあるため、画像処理・通信基板120ｃととを接続する読取ケーブル102ｆも最短の長さで接続されている。
【００６７】
また、画像処理・通信基板120ｃと電気基板105ａは、近傍に配置されている。そして、画像処理・通信基板120ｃは、操作部105内に設けられた電気基板105ａの制御も行っており、操作部105の基板を制御するための信号線（操作部ケーブル120ｇと呼ぶ）で接続されている。
【００６８】
このように、原稿搬送部103、フラットベットスキャナ101及び操作部105の近傍に、画像処理・通信基板120ｃを配置することにより、原稿搬送部103及びフラットベットスキャナ101内の電気部品及び操作部105の電気基板105ａと画像処理・通信基板120ｃを接続する読取ケーブル120ｆ及び操作部ケーブル120ｇを最短にすることが可能であり、放射ノイズや静電ノイズを低減している。このため、ノイズ対策部品などのコストアップを防止することができる。
【００６９】
なお、画像処理・通信基板120ｃは、前述した記録制御基板119とも接続しており、
画像処理・通信基板120ｃから記録制御基板119に画像を転送することで、記録制御基板を介して、前述のごとく画像形成を行う。この記録制御基板119は画像処理・通信基板120ｃの背面部に位置するため接続ケーブルも最短距離となる。これにより、放射ノイズや静電ノイズを低減し、ノイズ対策部品などのコストアップを防止することができる。
【００７０】
図４に示すように、記録装置部104は、記録シートＰを装置の前後方向（矢印Ｅ方向）に搬送して記録を行う場合は、記録シートＰの長手方向が装置の前後方向（矢印Ｅ方向）となるように給送カセット112ｂへの記録シートＰをセットする構成となっている。ここで、記録装置部104の設置サイズは、ほぼ記録シートの最大サイズによって決定するため、このような記録装置部104は装置の幅方向が短く、装置の前後方向（矢印Ｅ方向）に長い設置スペースとなる。
【００７１】
一方、フラットベットスキャナ101は、装置の幅方向（矢印Ｃ方向）に読み取る場合は、原稿Ｂの長手方向が装置の幅方向（矢印Ｃ方向）となるように原稿台ガラス101ａへ原稿Ｂをセットする構成となっている。ここで、フラットベットスキャナ101の設置サイズは、ほぼ載置する原稿Ｂの最大サイズによって決定するため、このようなフラットベットスキャナ101は装置の幅方向（矢印Ｃ方向）が長く、前後方向（矢印Ｅ方向）に短い設置スペースとなる。
【００７２】
すなわち、前述したごとく、原稿Ｂの読取りを行う走査方向が、装置の幅方向（矢印Ｃ方向）であるのに対して、記録シートＰの搬送方向は、装置の前後方向（矢印Ｅ方向）となり、原稿Ｂの読み取りを行う走査方向（矢印Ｃ方向）と記録シートＰの搬送方向（矢印Ｅ方向）が直交する構成となっている。よって、装置幅方向（左右方向）においては画像記録部本体100の幅よりも、フラットベットスキャナ101のほうが広く張り出した記録装置の側面の空間がデッドスペース（スペースＸと呼ぶ）となる。このスペースＸに電気基板（プリンタボード120ｂ、画像処理・通信基板120ｃ）を配置することで、装置の小型化を図ることができる。
【００７３】
また、前述のごとく、原稿台ガラス101ａへの原稿Ｂのセット、原稿載置トレイ103ａへの原稿Ｂの載置、排出された原稿の取り出し、記録後に排出された記録シートの取り出しだけでなく、カセット給送、マルチトレイへの記録シートの補充、ジャム処理の際のカセットの引き出し、トナーカートリッジの取り出し、操作部の操作を、すべて装置手前から行うことが可能であり良好な操作性を実現することができる。
【００７４】
また、記録装置104は定着器114の熱を排熱する必要があるため、通常、定着器114が装置外に面している装置背面にルーバを設けて排熱している、しかし、本実施形態では、装置背面側をふさぐ位置に基板を設けておらず定着器114の排熱も背面側にルーバを設けることが可能となり、効率の良い排熱が行われる。また、定着器114から電気基板（プリンタボード120ｂ、画像処理・通信基板120ｃ）を離すことで電気基板への熱の影響を低減するとともに、全体の熱源を分散することが可能となった。
【００７５】
また、電気基板（プリンタボード120ｂ、画像処理・通信基板120ｃ）が側面に集中しているため、カバーを開くだけで電気基板にアプローチできるため、ユーザやサービスマンによるメンテ作業や基板の拡張などの際に基板にアプローチしやすく作業性も良好である。また、記録装置の側面一面に基板スペースを確保でき基板サイズを最適にできることでコストダウンを図ることができる。
【００７６】
また、原稿搬送部103と同一側面側で、フラットベットスキャナ101のすぐ下まで原稿搬送部103及びフラットベットスキャナ101を制御する画像処理・通信基板120ｃを配置することが可能となり、接続のための読取ケーブル120ｆを短くでき放射ノイズ及び静電ノイズの低減を図ることができる。
【００７７】
また、密着型イメージセンサ101ｂの待機位置Ｄ、原稿搬送部103での読取時の停止位置、原稿搬送部103内の電気部品、フラットベットスキャナ101内の電気部品の配置を、記録装置の熱発生源である定着器114の直上、排出された記録シートの直上から逃げた位置（退避した位置）に設けることが可能となる。これにより、密着型イメージセンサ101ｂを含む電気部品の昇温を低減し、電気部品の温度上昇による熱による誤動作や、急な温度上昇による電気部品の結露といった問題を解決することが可能である。
【００７８】
また、電装部120においてセントロコネクタ120ｄ１、セントロケーブル120ｄ２や、モジュラコネクタ120ｅ１、モジュラーケーブル120ｅ２は、電気基板（プリンタボード120ｂ、画像処理・通信基板120ｃ）から装置奥側に向けて出っ張っているが、電気基板を装置背面より手前側に配置しているため、装置背面に出っ張ることはなく省スペース化を図ることができる。
【００７９】
また、定着器114及び電源ユニット120ａから電気基板（プリンタボード120ｂ、画像処理・通信基板120ｃ）を離すことができ、熱源を分散させるといった安価な手段で熱対策が可能となる。
【００８０】
また、電気基板（プリンタボード120ｂ、画像処理・通信基板120ｃ）をシールドするシールドボックス120ｈでフラットベットスキャナ101を保持する構造体を兼ねた剛体とすることで構造体を別に設ける必要がなくコストダウンを図ることができる。
【００８１】
尚、本実施形態では、原稿搬送部103を装置左側に設けたため、原稿搬送部103と同一側面である装置左側面に電気基板（プリンタボード120ｂ、画像処理・通信基板120ｃ）を配置したが、原稿搬送部103が装置右に設けた場合には、電気基板も装置右側に設けることで同様に、フラットベットスキャナ101の下のデッドスペースＸを有効活用でき小型化を図れるとともに、接続ケーブル（読取ケーブル102ｆ、操作部ケーブル120ｇ）を最短にでき放射ノイズ、静電ノイズの低減を図ることができる。
【００８２】
また、本実施形態では、原稿の読取手段として密着型イメージセンサ101ｂを用いたために、読取センサが可動に構成されていたが、原稿面の画像をレンズで縮小してＣＣＤ上に結像することで画像を読み取る光学系（縮小光学系と呼ぶ）の場合はＣＣＤは固定である。この場合はフラットベットスキャナ101内の電気部品と同様にＣＣＤの配置を電装部120の上部に配置することで、画像記録部本体100からの熱の影響を無くすとともに、電装部120との接続ケーブル（読取ケーブル102ｆ、操作部ケーブル120ｇ）も最短にすることが可能となる。また、縮小光学系の場合はミラーにより走査するが、密着型イメージセンサ101ｂと同様に、待機位置Ｄ及び原稿搬送部103での読取位置を画像記録部本体100の上部を避けた位置に設けることで、記録部の急激な温度上昇によるミラーの結露といった問題を解決することが可能である。
【産業上の利用可能性】
【００８３】
本発明の活用例として、画像読取部と画像記録部本体を設けた複写機、ファクシミリ等の画像形成装置に適用可能である。
【図面の簡単な説明】
【００８４】
【図１】本実施形態に係る画像形成装置の斜視図である。
【図２】画像形成装置を側面から見た断面図である。
【図３】画像形成装置を正面から見た断面図である。
【図４】画像形成装置の上視図である。
【符号の説明】
【００８５】
Ｂ    …原稿
Ｄ    …待機位置
Ｐ    …記録シート
Ｘ    …スペース
100   …画像記録部本体
101   …フラットベットスキャナ
101ａ …原稿台ガラス
101ｂ …密着型イメージセンサ
103   …原稿搬送部
103ｃ …シート読取部
104   …記録装置部
105   …操作部
105ａ …電気基板
111   …画像形成部
112   …カセット給送部
114   …定着器
120   …電装部
120ａ …電源ユニット
120ｂ …プリンタボード
120ｃ …画像処理・通信基板
120ｄ１ …コネクタ
120ｄ２ …セントロケーブル
120ｅ１ …モジュラコネクタ
120ｅ２ …モジュラーケーブル
120ｆ …読取ケーブル
120ｇ …操作部ケーブル
120ｈ …シールドボックス
131ｂ …マルチトレイ
【図１】
2005115084.tif 000003
【図２】
2005115084.tif 000004
【図３】
2005115084.tif 000005
【図４】
2005115084.tif 000006